【手続補正書】
【提出日】平成19年3月5日(2007.3.5)
【手続補正１】
【補正対象書類名】明細書
【補正対象項目名】発明の名称
【補正方法】変更
【補正の内容】
【発明の名称】ＭＰＥＧ方式のトランスポートストリーム送受信システム及び送信装置及び送信方法及び受信装置及び受信方法
【手続補正２】
【補正対象書類名】明細書
【補正対象項目名】特許請求の範囲
【補正方法】変更
【補正の内容】
【特許請求の範囲】
【請求項１】
ＭＰＥＧ方式のトランスポートストリームを送信する送信手段と、該トランスポートストリームを受信して記録、蓄積、再生することができる受信手段とからなり、
前記送信手段は、前記トランスポートストリームの空き帯域に、所定の放送番組を構成するパケットを送るようにすると共に、該放送番組の再生用タイミングを所定のフィールドにタイムスタンプして送るようにし、前記受信手段は、蓄積してある前記放送番組を前記タイムスタンプを利用して同期再生するようにしたことを特徴とするＭＰＥＧ方式のトランスポートストリーム送受信システム。
【請求項２】
前記放送番組は、蓄積目的の放送番組であることを特徴とする請求項１に記載のＭＰＥＧ方式のトランスポートストリーム送受信システム。
【請求項３】
前記タイムスタンプするフィールドは、ＰＣＲ（Ｐｒｏｇｒａｍ  Ｃｌｏｃｋ  Ｒｅｆｅｒｅｎｃｅ）であることを特徴とする請求項１に記載のＭＰＥＧ方式のトランスポートストリーム送受信システム。
【請求項４】
前記受信手段は、自走クロックと前記タイムスタンプの再生用タイミングとが合致したときに、前記蓄積してある放送番組を再生することを特徴とする請求項１に記載のＭＰＥＧ方式のトランスポートストリーム送受信システム。
【請求項５】
前記トランスポートストリームの空き帯域の検出は、実時間で受信することができる放送番組を送出している帯域を監視して検出することを特徴とする請求項１に記載のＭＰＥＧ方式のトランスポートストリーム送受信システム。
【請求項６】
ＭＰＥＧ方式のトランスポートストリームを送信する送信手段を備えた送信装置であって、
前記送信手段は、前記トランスポートストリームの空き帯域に、所定の放送番組を構成するパケットを送るようにすると共に、該放送番組の再生用タイミングを所定のフィールドにタイムスタンプして送ることを特徴とする送信装置。
【請求項７】
ＭＰＥＧ方式のトランスポートストリームの空き帯域に、所定の放送番組を構成するパケットを送るようにすると共に、該放送番組の再生用タイミングを所定のフィールドにタイムスタンプして送るようにしたことを特徴とする送信方法。
【請求項８】
ＭＰＥＧ方式のトランスポートストリームの空き帯域に、所定の放送番組を構成するパケットを多重化させると共に、該放送番組の再生用タイミングを所定のフィールドにタイムスタンプしたトランスポートストリームを受信して記録、蓄積、再生することができる受信手段を備えた受信装置であって、
前記受信手段は、蓄積してある放送番組をタイムスタンプを利用して同期再生するようにしたことを特徴とする受信装置。
【請求項９】
ＭＰＥＧ方式のトランスポートストリームの空き帯域に、所定の放送番組を構成するパケットを多重化させると共に、該放送番組の再生用タイミングを所定のフィールドにタイムスタンプしたトランスポートストリームを受信して記録、蓄積、再生し、
蓄積してある放送番組をタイムスタンプを利用して同期再生するようにしたことを特徴とする受信方法。
【手続補正３】
【補正対象書類名】明細書
【補正対象項目名】０００１
【補正方法】変更
【補正の内容】
【０００１】
【発明の属する技術分野】
本発明は、ＭＰＥＧ方式のトランスポート送受信システム及び送信装置及び送信方法及び受信装置及び受信方法に関するものであり、詳しくはデジタル放送のＭＰＥＧトランスポートストリームの空き帯域に放送番組を送ると共に再生用タイミングをタイムスタンプして送るようにして、蓄積されている放送番組の再生時における同期を円滑に行うようにしたＭＰＥＧ方式のトランスポート送受信システム及び送信装置及び送信方法及び受信装置及び受信方法に関する。
【手続補正４】
【補正対象書類名】明細書
【補正対象項目名】０００９
【補正方法】変更
【補正の内容】
【０００９】
【課題を解決するための手段】
上記課題を解決するため、本発明に係るＭＰＥＧ方式のトランスポートストリーム送受信システム及び送信装置及び送信方法及び受信装置及び受信方法は、次に示す構成にすることである。
【手続補正５】
【補正対象書類名】明細書
【補正対象項目名】００１０
【補正方法】変更
【補正の内容】
【００１０】
（１）ＭＰＥＧ方式のトランスポートストリームを送信する送信手段と、該トランスポートストリームを受信して記録、蓄積、再生することができる受信手段とからなり、前記送信手段は、前記トランスポートストリームの空き帯域に、所定の放送番組を構成するパケットを送るようにすると共に、該放送番組の再生用タイミングを所定のフィールドにタイムスタンプして送るようにし、前記受信手段は、蓄積してある前記放送番組を前記タイムスタンプを利用して同期再生するようにしたことを特徴とするＭＰＥＧ方式のトランスポートストリーム送受信システム。
（２）前記放送番組は、蓄積目的の放送番組であることを特徴とする（１）に記載のＭＰＥＧ方式のトランスポートストリーム送受信システム。
（３）前記タイムスタンプするフィールドは、ＰＣＲ（Ｐｒｏｇｒａｍ  Ｃｌｏｃｋ  Ｒｅｆｅｒｅｎｃｅ）であることを特徴とする（１）に記載のＭＰＥＧ方式のトランスポートストリーム送受信システム。
（４）前記受信手段は、自走クロックと前記タイムスタンプの再生用タイミングとが合致したときに、前記蓄積してある放送番組を再生することを特徴とする（１）に記載のＭＰＥＧ方式のトランスポートストリーム送受信システム。
（５）前記トランスポートストリームの空き帯域の検出は、実時間で受信することができる放送番組を送出している帯域を監視して検出することを特徴とする（１）に記載のＭＰＥＧ方式のトランスポートストリーム送受信システム。
（６）ＭＰＥＧ方式のトランスポートストリームを送信する送信手段を備えた送信装置であって、前記送信手段は、前記トランスポートストリームの空き帯域に、所定の放送番組を構成するパケットを送るようにすると共に、該放送番組の再生用タイミングを所定のフィールドにタイムスタンプして送ることを特徴とする送信装置。
（７）ＭＰＥＧ方式のトランスポートストリームの空き帯域に、所定の放送番組を構成するパケットを送るようにすると共に、該放送番組の再生用タイミングを所定のフィールドにタイムスタンプして送るようにしたことを特徴とする送信方法。
（８）ＭＰＥＧ方式のトランスポートストリームの空き帯域に、所定の放送番組を構成するパケットを多重化させると共に、該放送番組の再生用タイミングを所定のフィールドにタイムスタンプしたトランスポートストリームを受信して記録、蓄積、再生することができる受信手段を備えた受信装置であって、
前記受信手段は、蓄積してある放送番組をタイムスタンプを利用して同期再生するようにしたことを特徴とする受信装置。
（９）ＭＰＥＧ方式のトランスポートストリームの空き帯域に、所定の放送番組を構成するパケットを多重化させると共に、該放送番組の再生用タイミングを所定のフィールドにタイムスタンプしたトランスポートストリームを受信して記録、蓄積、再生し、
蓄積してある放送番組をタイムスタンプを利用して同期再生するようにしたことを特徴とする受信方法。
【手続補正６】
【補正対象書類名】明細書
【補正対象項目名】００１２
【補正方法】変更
【補正の内容】
【００１２】
【発明の実施の形態】
次に、本発明に係る送信装置及び送信方法及び受信装置及び受信方法を具現化できるＭＰＥＧ方式のトランスポートストリーム送受信システムの実施の形態について、図面を参照して説明する。
【手続補正７】
【補正対象書類名】明細書
【補正対象項目名】００１６
【補正方法】変更
【補正の内容】
【００１６】
空き帯域多重化部２００は、蓄積用放送番組からなるレコードソースと、このレコードソースに所定のフィールド（実施例の場合ＰＣＲ）にタイムスタンプを記述するエンコード／タイムスタンプ２１０と、タイムスタンプが記述された放送番組を蓄積するハードディスク２２０と、ハードディスク２２０に蓄積されている蓄積用放送番組を格納するＦＩＦＯ（Ｆｉｒｓｔ  Ｉｎ  Ｆｉｒｓｔ  Ｏｕｔ）２３０と、リアルタイムの放送番組の多重化から空き帯域を検出するビットレートモニタ２４０とから構成されている。尚、フィールドはＰＣＲに限定されることなく、例えばパケットのヘッダ近傍に記述してもよく、トランスポートストリームの空き帯域に流れる別のストリームを記録、蓄積した後に、再生する際に同期がとれればよい。
【手続補正８】
【補正対象書類名】明細書
【補正対象項目名】００２２
【補正方法】変更
【補正の内容】
【００２２】
【発明の効果】
以上説明したように、本発明に係る送信装置及び送信方法及び受信装置及び受信方法を具現化できるＭＰＥＧ方式のトランスポート送受信システムは、トランスポートストリームの空き帯域を利用して送る別のストリームの放送番組に再生タイミング用のタイムスタンプを記述するようにしたことにより、別ストリームの放送番組を記録、蓄積した後に、再生する際にタイムスタンプを利用して同期再生することができるという効果がある。